(57)【要約】  電子ロックシステム１０は、ドア内に配置された電子ロックと、電力をその電子ロックに無線で供給するために配置されたドア外部の装置とを含む。
2008533340.tif 000002
【特許請求の範囲】
【請求項１】
ドア内に配置された電子ロックと、
前記ドアに近接して配置されたコントローラと、
を備えた電子ロックシステムであって、
前記コントローラは、前記電子ロックがアクセスされることが可能なアクセス装置を含み、
前記コントローラは、前記電子ロックと無線で通信するために、および前記電子ロックに無線で電力を供給するために配置されることを特徴とする電子ロックシステム。
【請求項２】
請求項１に記載の電子ロックシステムであって、前記コントローラが無線アクティブ信号を生成するために配置され、前記電子ロックが前記アクティブ信号に応答してアクティブになることによって、前記電子ロックが動作可能になることを特徴とする電子ロックシステム。
【請求項３】
請求項２に記載の電子ロックシステムであって、前記コントローラが前記無線アクティブ信号を生成するためのウェイクアップ信号生成器を備え、前記電子ロックが前記無線アクティブ信号を受け取るための、および前記電子ロックをアクティブにするために使用される電気エネルギーに前記無線アクティブ信号を変換するためのウェイクアップ回路を備えることを特徴とする電子ロックシステム。
【請求項４】
請求項２に記載の電子ロックシステムであって、前記コントローラが前記アクセス装置により読み取られたユーザのデータを確認すると、前記コントローラは前記無線アクティブ信号を生成するために配置されることを特徴とする電子ロックシステム。
【請求項５】
請求項４に記載の電子ロックシステムであって、前記アクセス装置が、前記ユーザにより前記アクセス装置に提示されるアクセスカードから前記ユーザのデータを読み取るように構成されていることを特徴とする電子ロックシステム。
【請求項６】
請求項５に記載の電子ロックシステムであって、前記アクセスカードが、磁気ストライプカード、スマートカード、および近接型カードのうち少なくとも１つを有することを特徴とする電子ロックシステム。
【請求項７】
請求項１に記載の電子ロックシステムであって、前記コントローラがさらに、無線電力信号を生成するために配置され、前記電子ロックが前記電力信号に応答して電力供給されることを特徴とする電子ロックシステム。
【請求項８】
請求項７に記載の電子ロックシステムであって、前記電子ロックが、前記電力信号を受け取るために配置され、前記電力信号を貯蔵される電気エネルギーに変換するように構成されたエネルギー貯蔵装置を備えることを特徴とする電子ロックシステム。
【請求項９】
請求項８に記載の電子ロックシステムであって、前記エネルギー貯蔵装置がキャパシタを備えることを特徴とする電子ロックシステム。
【請求項１０】
請求項７に記載の電子ロックシステムであって、前記電力信号が電磁放射物からなるパルス状のまたは持続的な生成物を有することを特徴とする電子ロックシステム。
【請求項１１】
請求項８に記載の電子ロックシステムであって、前記電子ロックが動作可能になったときには、前記電子ロックが前記保存される電気エネルギーによって電力供給されることを特徴とする電子ロックシステム。
【請求項１２】
請求項７に記載の電子ロックシステムであって、前記ドアが複合ユニット型建物の単一ユニットについてのドアと関連し、前記コントローラが複合ユニット型建物と関連したネットワークに接続されることを特徴とする電子ロックシステム。
【請求項１３】
請求項１に記載の電子ロックシステムであって、前記電子ロックが前記ドアの動作を検知するために配置された検知装置を備え、前記電子ロックが前記ドアの前記動作についての前記検知に応答してアクティブになることにより、前記電子ロックが動作可能になることを特徴とする電子ロックシステム。
【請求項１４】
請求項１３に記載の電子ロックシステムであって、前記ドアの前記動作が前記電子ロックの外部ハンドルの接触および操作の少なくとも一方を含むことを特徴とする電子ロックシステム。
【請求項１５】
請求項１に記載の電子ロックシステムであって、前記コントローラが無線信号を前記電子ロックに選択的に送信することによって前記電力を前記電子ロックに供給し、前記電子ロックが前記無線信号を受け取るように、前記無線信号を電気エネルギーに変換するように、および前記ロックが動作可能になるように、前記電子ロックをアクティブにすることと、動作可能になれば前記電子ロックを動作させることとのうち少なくとも一方のために、前記電気エネルギーを使用するように構成されていることを特徴とする電子ロックシステム。
【請求項１６】
ドア内に配置された電子ロックと、
前記ドアに近接して配置され、コントローラに電力を供給するための電源に接続された前記コントローラと、
を備えた電子ロックシステムであって、
前記コントローラは、前記電子ロックがアクセスされることを可能にするアクセス装置を含み、
前記コントローラは、前記電子ロックと無線で通信するために配置され、
前記電子ロックは、前記ロックに電力を供給するための発電機を含むことを特徴とする電子ロックシステム。
【請求項１７】
請求項１６に記載の電子ロックシステムであって、前記ドアの機能を操作することにより、前記発電機に前記電力を前記電子ロックへと供給させることを特徴とする電子ロックシステム。
【請求項１８】
請求項１６に記載の電子ロックシステムであって、前記ドアの前記機能がドアハンドルおよびドアヒンジの少なくとも一方を有することを特徴とする電子ロックシステム。
【請求項１９】
請求項１６に記載の電子ロックシステムであって、前記電子ロックが、前記発電機によって供給されるエネルギーを受け取り貯蔵するために配置されたエネルギー貯蔵装置をさらに含むことを特徴とする電子ロックシステム。
【請求項２０】
ドア内に配置された電子ロックを動作させる方法であって、前記方法が、
前記ドアに近接して配置されたコントローラのアクセス装置に保存される識別データを含むアクセスカードを提示するステップと、
前記識別データを前記コントローラで処理するステップと、
前記識別データが受け入れ可能である前記コントローラで、無線アクティブ信号を生成するステップと、
前記アクティブ信号を前記電子ロックに送るステップと、
前記アクティブ信号に応答して前記電子ロックをアクティブにし、動作可能になるようにするステップと、
を含み、
動作可能なときには、前記電子ロックが、前記コントローラによって生成された無線信号により、充電された前記電子ロックの貯蔵装置からのエネルギーによって電力供給されることを特徴とする方法。
【請求項２１】
請求項１に記載の電子ロックシステムであって、前記電子ロックがネットワークおよび部屋の装置の少なくとも一方と無線で通信するために構成されていることを特徴とする電子ロックシステム。
【請求項２２】
請求項８に記載の電子ロックシステムであって、前記エネルギー貯蔵装置が前記電力信号の変化を検出するように、および前記変化に応答して前記ロックをアクティブにするように構成されていることを特徴とする電子ロックシステム。
【請求項２３】
請求項２２に記載の電子ロックシステムであって、前記変化が前記電力信号の中止、前記電力信号の一時的な停止、および前記電力信号の調節の変化のうち少なくとも１つを有することを特徴とする電子ロックシステム。
【請求項２４】
請求項１６に記載の電子ロックシステムであって、前記電子ロックがネットワークおよび部屋の装置の少なくとも一方と無線で通信するために構成されていることを特徴とする電子ロックシステム。
【請求項２５】
請求項１９に記載の電子ロックシステムであって、前記エネルギー貯蔵装置が、前記発電機により電力を前記ロックに供給することについての連続的な事象信号間の長い時間周期を検出するように構成され、前記エネルギー貯蔵装置がさらに、前記長い時間周期に応答して前記ロックをアクティブにするように、および／または前記長い時間周期に応答して、代替の電源から電力を引き出すようにさらに構成されていることを特徴とする電子ロックシステム。
【請求項２６】
請求項２０に記載の方法であって、
前記貯蔵装置が前記無線信号の変化を検出するステップと、
前記変化に応答して前記電子ロックをアクティブにし、動作可能になるようにするステップと、
をさらに有することを特徴とする方法。
【請求項２７】
請求項２６に記載の方法であって、前記変化が、前記電力信号の中止、前記電力信号の一時的な停止、および前記電力信号の調節の変化のうち少なくとも１つを有することを特徴とする方法。
【請求項２８】
電子ロックシステムであって、
アクセスするためのアクセス装置を含み、ドア内に配置された電子ロックと、
電力を前記電子ロックに無線で供給するために構成された前記ドアの外部に配置された電力信号生成器と、
を備えることを特徴とする電子ロックシステム。
【請求項２９】
請求項２８に記載の電子ロックシステムであって、前記アクセス装置が潜在的な入室者のアクセス証明書を検出するために配置されており、前記電子ロックは前記アクセス証明書を確認するために、および前記電子ロックをロックならびにアンロックするために配置されたコントローラをさらに含むことを特徴とする電子ロックシステム。
【請求項３０】
請求項２９に記載の電子ロックシステムであって、前記電子ロックが、前記電力信号生成器から電力信号を受け取るために配置され、前記電力信号を貯蔵される電気エネルギーに変換するように構成されたエネルギー貯蔵装置をさらに含むことを特徴とする電子ロックシステム。
【請求項３１】
請求項３０に記載の電子ロックシステムであって、前記エネルギー貯蔵装置がキャパシタを備え、前記電力信号が電磁放射物からなるパルス生成物を有することを特徴とする電子ロックシステム。
【請求項３２】
請求項３０に記載の電子ロックシステムであって、前記エネルギー貯蔵装置が、前記アクセス証明書を検出する前記アクセス装置に応答して、前記電子ロックをアクティブにするために配置されることにより、前記電子ロックが動作可能になることを特徴とする電子ロックシステム。
【請求項３３】
請求項２８に記載の電子ロックシステムであって、前記ドアが複合ユニット型建物の単一ユニットについてのドアと関連し、前記ロックが前記ドアの外部の要素と無線で通信するために配置されていることを特徴とする電子ロックシステム。
【請求項３４】
請求項３３に記載の電子ロックシステムであって、ドアの外部の前記要素が、前記ドアに隣接して配置された装置、前記単一ユニット内に配置された装置、およびネットワークのうち少なくとも１つを有することを特徴とする電子ロックシステム。
【発明の詳細な説明】
【技術分野】
【０００１】
本発明は、概して、ロックシステムに関し、より詳細には、複合ユニット型建物の個々のユニットへのアクセスを可能にするための電子ロックシステムに関する。
【背景技術】
【０００２】
電子ロックは、一般的には、バッテリか有線電源によって電力供給される。ホテル、モーテル、宿屋などの場合、実際には、すべての電子ロックがバッテリにより電力供給されている。いずれの場合にも、ゲストルームの出入口については特に、これらのロックの機能性がこの特性を実施するために極めて重要である。
【０００３】
バッテリ駆動型のロックに関しては、一般的に、およそ２年毎に必要となる定期的なバッテリの交換に関連したかなりの購入費および労働費がかかる。スタンドアロンの電子ロックシステムを備えたホテルに関しては、バッテリには、交換時を超えて数ヶ月またはさらには１年間も機能し続けている可能性のあるものがある、ないということに関係なく、バッテリ交換のスケジューリングが「最短予想バッテリ寿命期間」に基づいて行われなくてはならない。中央制御型システムの一部であるロックについては、残量の低いバッテリ状態を報告することができるロックにより、その費用はわずかに軽減可能である。この種のロックシステムのバッテリは、その場合には、「必要に応じた」スケジュールで交換可能であるが、これらのロックを監視すること、およびその場合に、切れたバッテリを必要に応じて物理的に交換することに関連した費用がなおも相当かかる。
【０００４】
ドア外部の有線電源から電力供給される電子ロックに関しては、電源が設置される必要があるので、極めて大きな初期設置コストがかかり、ワイヤを電源の場所からドア周辺部に伸ばす必要があり、一般的に、ドアにはその周辺部上の地点からロック装置自体にワイヤを伸ばすことが可能になるようにドリルで穴を開ける必要がある。これらのシステムはまた、ドアのヒンジ側上のフレキシブル配線と、ドアジャムまたは受け座上の第２の組の２重接点に嵌め合わさる、ドアの一端部上の２重接点とに頼らざるを得ない。いずれの場合にも、有線電源装置には内在している機械的故障率があり、また電源装置が故障した場合には、ロックの状態でも、または外部電源と何らかの形で相互接続された状態でも、バッテリのバックアップの準備がない場合には、ロックが機能を中止することになるという大きなリスクもある。また、ドリルで穴を開けることにより、またはそうでない場合には、ドアの構造を変更することにより、ドアの改造に関連した潜在的な消防規則上の問題もある。
【０００５】
バッテリ駆動型の電子ロックでは、電力消費量の８０パーセント以上が、様々なタイプのアクセスカード（例えば磁気ストライプカード、スマートカード、近接型カード）を「読み取る」ために、メモリにアクセスイベントを保存するために、ＬＥＤ表示器などを動作させるために必要な電子回路を維持すること、および通常のバッテリ漏れまたは自己放電に関連していると推測される。ロックは、次のアクセスカードイベントが起こるのを待つ持続的な待機状態に保たれる必要がある。オンラインシステムにおいて、有線または無線の手段により、中央計算サーバに接続されたゲートウェイまたは電子継電装置の何らかの形態に、および何らかの形態から、無線手段を介して様々なデータを伝達するためには付加要件がある。
【０００６】
これらのバッテリ駆動型のロックでは、電力消費量の２０パーセント未満は、ラッチおよびアンラッチのアクティビティに直接関連している。この種の電力消費量の経時的な平均は、約２μＡ〜１０μＡである。
【０００７】
上述の問題点に加えて、バッテリ駆動型の電子ロックは、一般的に、分厚く、見た目に美しくない。主には、ロックアセンブリの分厚さは、バッテリパック（例えば４個の単三のバッテリ）と、アクセスカードスロット（磁気ストライプカードおよびスマートカード用）と、入り口および場合によっては出口のアクティビティを処理し、保存するために必要な回路とを収容する必要性に起因している。
【０００８】
【特許文献１】米国特許第５９３６５４４号明細書
【特許文献２】国際公開第００／７７３３０号パンフレット
【特許文献３】独国特許発明第１０１０４０１０号明細書
【特許文献４】国際公開第９９／６１７３２号パンフレット
【特許文献５】国開公開第０２／２９１８７号パンフレット
【特許文献６】欧州特許第１２４４０６８号明細書
【発明の開示】
【発明が解決しようとする課題】
【０００９】
したがって、ロックシステムは、メンテナンスをそれほど必要とせず、省消費電力を使用し、構成要素が少なく、最小限の大きさであることが望まれる。
【課題を解決するための手段】
【００１０】
上述の問題を克服するために、本発明はドアロックユニット内にバッテリパックの必要性をなくし、ある実施形態では、アクセスカードの読み取り／書き込みのアセンブリおよび関連回路、制御回路、ならびにメモリ保存回路のうち少なくとも１つをドアロックユニットからドアに近接した場所に、および常時電力が供給される場所に移す。本発明のある例示的な実施形態では、これは、ロックシステムの情報の一部またはすべてが、ドアロックユニット自体から取り出され、常時電力が供給可能であるより便利な、アクセス可能な場所に移されることを意味している。
【００１１】
本発明の一実施形態では、電子ロックシステムが、ドア内に配置された電子ロックと、そのドアに近接して配置されたコントローラとを含んで提供される。コントローラは、電子ロックがそれによりアクセス可能になるアクセス装置を含む。コントローラは、電子ロックと無線で通信するために、および電子ロックに電力を無線で供給するために配置される。
【００１２】
他の実施形態では、電子ロックシステムはドア内に配置された電子ロックと、ドアに近接して配置されかつコントローラに電力を供給するための電源に接続されたコントローラとを含んで提供され、コントローラは電子ロックがそれによりアクセス可能になるアクセス装置を含み、コントローラは電子ロックと無線で通信するために配置され、電子ロックは電力をロックに供給するための発電機を含む。
【００１３】
さらに他の実施形態では、本発明はドア内に配置された電子ロックを動作させる方法を提供し、その方法は、そのドアに近接して配置されたコントローラのアクセス装置にアクセスカードを提示すること（そのアクセスカードは保存された識別データを含む）、そのコントローラでその識別データを処理すること、識別データが受け入れ可能なコントローラで無線アクティブ信号を生成すること、そのアクティブ信号を電子ロックに送信すること、およびアクティブ信号に応答して電子ロックをアクティブにし動作可能にすることを含んでおり、動作可能であるときには、電子ロックは、コントローラによって生成された無線信号により、充電された電子ロックの貯蔵装置からのエネルギーによって電力供給される。
【００１４】
本発明のさらなる実施形態では、電子ロックシステムは、ドア内に配置された電子ロックと、電力を電子ロックに無線で供給することができるドア外部に配置された装置とを含んで提供され、電子ロックは、ロックがそれによりアクセス可能になるアクセス装置を含む。
【００１５】
本発明について先に論じた特徴および利点、ならびに他の特徴および利点は、下記の詳細な説明および図面によって、当業者には認識され、理解されるであろう。
【発明を実施するための最良の形態】
【００１６】
ここで、同様の数字が同様の構成要素を表している図面を参照する。
【００１７】
図１に、本発明の実施形態による例示的な電子ロックシステム１０を示す。システム１０は、ドアロックユニット１２と、対応するロック制御アセンブリ１４とを含む。本願では長く論じることになるが、制御アセンブリ１４は、ドアロックユニット１２と通信し、そのユニットの動作を制御し、そのユニットに電力を供給する。
【００１８】
ドアロックユニット１２は、単一マイクロプロセッサ（図示せず）と、アクチュエータ（図示せず）とを備えた二次アクセス制御電子機器１６を含み、そのアクチュエータは、ロッキング機構１８に接続され、制御電子機器１６のコマンドで、ロッキング機構１８をロックまたはアンロックの位置に作動させることができる。ドアロックユニット１２は、ロック制御アセンブリ１４から受け取った電磁信号２２によって電力供給され、および二次アクセス制御電子機器１６に接続されるウェイクアップ回路２０をさらに含む。ドアロックユニット１２はまた、ロック制御アセンブリ１４から電磁信号２６を受け取り、それらの信号を容量的に貯蔵される電気エネルギーに変換し、二次アクセス制御回路１６に接続されたエネルギー貯蔵装置２４（例えば、スーパーキャパシタ、ソーラパネルの装置など）も含む。ドアロックユニット１２は、加えて、二次アクセス制御回路１６に接続された、ロック制御アセンブリ１４と無線伝達信号３０で係合することができる無線トランシーバ２８も含む。
【００１９】
ドアロックユニット１２は、最小限の大きさであるので有利である。本実施形態では、ユニット１２（ロッキング機構１８がないとき）は、通常のマッチ箱ほどは大きくない。これは、電子ドアロックユニット１２は、基本的に、従来の機械的なドアロックアセンブリほどは大きくないことを意味している。
【００２０】
ロック制御アセンブリ１４は、ドアロックユニット１２に近接して配置される。この種の配置により、例えば、入り口ドアのすぐ外側の壁上にドアベルのプレートと共に用いること、あるいは、入り口照明のスイッチにもしくはそのスイッチ内とに、起こさないでください／部屋を掃除してください（ｄｏ  ｎｏｔ  ｄｉｓｔｕｒｂ／ｍａｋｅ  ｕｐ  ｒｏｏｍ）のプレートにもしくはそのプレート内とに、照明のついた部屋番号のプレートにもしくはそのプレート内とに、またはドアロックユニットに近接した任意の他の装置にもしくはその装置内とに配置することが可能になるであろう。
【００２１】
ロック制御アセンブリ１４は、マイクロプロセッサ（図示せず）と、電子メモリ（図示せず）とを備えた一次アクセス制御電子機器３２を含む。無線トランシーバ３４が一次アクセス制御電子機器３２に接続され、無線伝達信号３０を介してドアロックユニット１２を係合するために配置される。制御アセンブリ１４は、一次アクセス制御電子機器３２に接続され、電磁ウェイクアップ信号２２を生成するウェイクアップ信号生成器３６をさらに含む。電力信号生成器３８もまた、一次アクセス制御電子機器３２に接続される。生成器３８は、ドアロックユニット１２の貯蔵装置２４によって受け取られる電磁電力信号２６を生成するために配置される。
【００２２】
電力信号生成器３８は、概して、電磁信号２６を無線で送信することが可能な任意の装置を含む。電磁信号２６は、高周波（ＲＦ）信号、光信号などの任意の適切な形態をとってよい。エネルギー貯蔵装置２４は、概して、上記の電磁信号２６を受け取ることが可能な、および信号２６を電気エネルギーに変換するために構成された任意の対応する装置を含む。例えば、電力信号生成器３８とエネルギー貯蔵装置２４とは、電磁信号２６がＲＦ信号を含む従来のＡＭ／ＦＭアンテナを含んでよい。代替としては、および／または加えて、電力信号生成器３８は、磁気信号２６が光信号を含むように、制御または非制御の光源を含んでよい。エネルギー貯蔵装置２４は、その場合、それに対応して、光信号２６を受け取るための、およびそれらの信号を電気出力に変換するためのソーラパネル装置を含んでよい。代替としては、および／または加えて、電力信号生成器３８とエネルギー貯蔵装置２４とは、電磁信号２６の送受信を容易にするために、分割エアギャップ変圧器、または任意の他のタイプの磁気的なもしくは容量性の適切な結合装置を含んでよい。
【００２３】
制御アセンブリ１４はまた、一次アクセス制御電子機器３２に接続された、ならびに磁気ストライプカード、スマートカード、および近接型カードなどのアクセスカード４２からのデータを読み取るために構成されたアクセスリーダ／ライタ４０も含む。ロック制御アセンブリ１４は、例えばスイッチモード電源装置、変圧器、従来のもしくは再充電可能なバッテリパックまたはそれらの任意の組合せであることが可能な、および常時電力を一次アクセス制御電子機器３２に供給する電源４４によって電力供給される。ロック制御アセンブリ１４は、ネットワーク接続部４６を経由して、ネットワーク（ＬＡＮ、ＷＡＮなど）、関連サーバ、および／または追加周辺装置と接続可能、および通信可能である。ロック制御アセンブリ１４は、任意の適切なプロトコル（例えばＴＣＰ／ＩＰ、ＵＤＰ／ＩＰ、Ｉｎｎｃｏｍ  Ｉｎｔｅｒｎａｔｉｏｎａｌ、Ｉｎｃ'ｓ  ｐｒｏｐｒｉｅｔａｒｙ  Ｐ５  Ｐｒｏｔｏｃｏｌなど）を介して、ネットワークと通信することが可能である。接続部４６は、必要に応じて、有線または無線であってよい。制御アセンブリ１４とネットワークとの間、および／または制御アセンブリ１４とドアロックユニット１２との間の無線通信は、高周波（ＲＦ）通信を介して行われることが好ましいが、代替としては、および／または加えて、赤外線通信（ＩＲ）または他のタイプの通信（例えば超音波（Ｕ／Ｓ）など）を利用することも可能である。この種の無線ＲＦ通信は、例えば８０２．１１ｂ高周波プロトコル、ＷＩ−ＦＩ、Ｂｌｕｅｔｏｏｔｈ（登録商標）、８０２．１５．４、または任意の他の適切な無線プロトコルを利用することが可能である。
【００２４】
ここで、システム１０の動作について図１を参照して論じることにする。ドアロックユニット１２がバッテリなどの独立電源を含んでいないことは明らである。このことは、上述のように、結果的に小型のドアロックユニットをもたらすので有利である。しかし、ドアロックユニット１２は、ロック機構１８を動作させるため、無線トランシーバ２８を介して通信するためなど、一定の所要電力を有している。これらのことを行うために所要の電力が作用し、その電力はロック制御アセンブリ１４の電力信号生成器３８からより多く発生する。生成器３８は、パルス状のまたは持続的な電磁放射物を本質的に有する電磁電力信号２６を生成する。この種の放射物は、エネルギー貯蔵装置２４によって受け取られ、貯蔵される電気エネルギーに変換される。電磁放射物の電気エネルギーへの変換は、ＲＦＩＤタグに関する既知の動作とほぼ同様の方法で行われる。本発明の場合では、電気エネルギーは、ドアロックユニット１２の二次アクセス制御回路１６によって、オンデマンド使用のためのエネルギー貯蔵装置２４の容量回路に貯蔵される。
【００２５】
システム１０の典型的な動作の一例は、磁気ストライプカードまたはスマートアクセスカード４２をアクセスリーダ／ライタ４０の壁のスロット構成要素に挿入することにより始まる。後者は、アクセスカード４２内でエンコードされたデータを読み取り、そのデータをリーダ／ライタ４０から一次アクセス制御電子機器３２に送る。制御電子機器３２は、そのデータが、ラッチされているドアへのアクセスを許可するのに適切であるかどうかを判定する。この判定には、その読み取ったデータを例えば、制御電子機器３２内に局所的に保存されまたはネットワーク接続部４６を介して遠隔にアクセスされた保存データと比較することが含まれる。判定が肯定的である場合には、制御電子機器３２は、ウェイクアップ信号生成器３６に、電磁ウェイクアップ信号２２をドアロックユニット１２のウェイクアップ回路構成要素２０に送信するように指示する。このウェイクアップ信号２２は、電力信号生成器３８によって生成される電磁電力信号２６とは明らかに異なることに留意されたい。
【００２６】
ウェイクアップ信号２２を受け取ると、ウェイクアップ回路２０は、覚醒しアクティブになる二次アクセス制御電子機器１６に電荷を送る。ウェイクアップ信号生成器３６、放射ウェイクアップ信号２２、ウェイクアップ回路２０、および結果的にもたらされるドアロックユニット１２のアクティブ化は、例えば２００５年１月２６日に出願された「ＰＲＯＸＩＭＩＴＹ  ＷＡＫＥ−ＵＰ  ＡＣＴＩＶＡＴＩＯＮ  ＯＦ  ＥＬＥＣＴＲＯＮＩＣ  ＣＩＲＣＵＩＴＳ」という表題の関連した米国特許出願番号（出願番号は未入手）に記載されているものを含んでよく、同出願は全体的に本願に引用して援用する。
【００２７】
ウェイクアップ信号２２が送信されるとすぐに、一次制御電子機器３２は、無線トランシーバ３４に、ロッキング機構１８をアンラッチするための無線コマンドを二次制御電子機器１６に送信するように指示する。先に論じたように、エネルギー貯蔵装置２４によって電力供給される二次制御電子機器１６は、それに接続された無線トランシーバ２８を介してこの種のコマンドを受け取り、この種のコマンドを受け取ると、二次電子機器１６は、ロッキング機構１８をアンラッチさせるアクチュエータを作動させる。その場合、二次制御電子機器１６は、アンラッチのアクティビティについての通知を（無線トランシーバ２８、３４のパスを介して）一次制御機器３２に返信する。ロッキング機構１８のアンロックに作用するアクチュエータは、任意の適切な既知の構成であってよく、例えば、既存の慎重に考えられた構成要素から、またはこの種のアクチュエータの小型バージョンを創出するナノテクノロジーを使用することにより、製造可能である。
【００２８】
上記すべてのアクティビティは、一次制御電子機器３２内のメモリに保存される。この保存されたアクティビティの記録は、必要に応じて利用可能である。例えば、この記録は接続部４６を介してネットワークにもしくは他の装置に伝達可能であり、またはパーソナルデジタルアシスタント（ＰＤＡ）などのハンドヘルドの装置もしくは他の同様の装置を介してアクセス可能である。
【００２９】
システム１０は、電磁送信信号２２、２６を容易にするために、および３０が適切である場合には、ロック制御アセンブリ１４とドアロックユニット１２の間で、アンテナ（図示せず）の複合構成を利用することが可能である。すなわち、例えば、ウェイクアップと電力との送信信号２２および２６それぞれのためには、ロック制御アセンブリ１４内に単一のアンテナが、それらの送信信号を受け取るためには、ドアロックユニット１２にそれぞれ２つのアンテナが、ならびに電磁的な制御とデータの伝達信号３０を送受信するためには、ドアロックユニット１２およびロック制御アセンブリ１４のそれぞれに個別のアンテナがあることが可能であろう。この場合には、構成内に合計５つのアンテナがあることになる。他の例には、システム１０の２つの部分１２と１４との間のすべての電磁トラフィックの送信および／または受信のためには、ロック制御アセンブリ１４およびドアロックユニット１２のそれぞれに単一のアンテナを使用することが含まれる。すなわち、この場合には、システム１０は２つのアンテナだけを含んでいることになる。
【００３０】
上述した一連の動作については、数多くの変化に富む。例えば、このシステムは、磁気ストライプカードまたはスマートカードのアクセスに基づくのではなく、近接認証技術を用いることが可能である。すなわち、リーダ４０は、近接型カードと一般的に称されているアクセスカード４２内に保存されたデータにアクセスし、データを読み取るために構成可能である。この種の近接型カード４２がロック制御アセンブリ１４に十分に近接している場合には、近接型カード４２は電力信号生成器３８によって放射されるパルスによってアクティブになる。アクティブになると、近接型カード４２は、それ自体を識別するエンコードされた高周波応答、すなわち識別データを含むＲＦ応答を送る。この応答は、その場合、磁気ストライプカード／スマートカードのデータの処理に関して先に論じたように、一次制御電子機器３２によって処理され、評価される。識別データが確認されると、一次制御電子機器３２は、上述と同一順序のイベントを作動させる。すなわち、ドアロックユニット１２がアクティブになり、ロッキング機構１８が作動（すなわち始動）する。近接型カードの識別データ（または、先の説明のように、磁気ストライプカードまたはスマートカードから読み取ったデータ）が一次制御電子機器３２によって確認されない場合には、入室を試みようとする者へのアクセスは認められない。拒絶の表示は、入室を試みようとする者に伝達可能（例えば画像表示、可聴音など）であり、入室を試みようとする者についての記録は、一次制御機器３２内に保存、ならびに／または接続部４６を介してネットワークまたは他の装置に送信可能である。
【００３１】
電子ロックシステム１０は、著しく縮小したサイズおよび単純化した構造からなるドアロックユニット１２を提供する。ロックユニット１２は、バッテリなどの内部電源は備えておらず、したがって、かなり軽減されたメンテナンスが必要である。しかし、ロックユニット１２は、いずれのときにもアクティブ可能な状態のままであり、ロックユニット１２の効率的な機能性が提供される。
【００３２】
本発明の代替の実施形態における電子ロックシステム１００を図２に示す。システム１００はシステム１０に類似しており、それらの多くの機能および規定を含んでいる。共通の要素が一貫した参照数字によって、本願におよび全体を通じて表されており、簡潔にするために、繰り返して紹介することも、不必要に繰り返して説明することもしない。システム１００は、システム１０とはかなり異なっており、前者は、後者のウェイクアップ信号生成器３６もウェイクアップ回路２０も含んではいない。代わりに、システム１００では、二次アクセス制御電子機器１６が、エネルギー貯蔵装置２４からの電力の常時供給によって、持続的な準備完了状態で維持されている。すなわち、ロック制御アセンブリ１１４の電力信号生成器３８は、貯蔵装置２４によって受け取られ、常時電力を二次制御電子機器１６に与えるために使用されるエネルギーに変換される電磁パルス２６を持続的に放射する。
【００３３】
電子ロックシステム１００は、説明済みのウェイクアップ／アクティブ化の手法を伴わずシステム１０と同様に動作する。すなわち、アクセスリーダ４０は潜在的な入室者のアクセスカード４２からデータを読み取る；一次制御電子機器３２は読み取ったデータの真正性を確認する；確認が行われた場合には、制御信号３０は一次制御機器３２から二次制御電子機器１６に送られる（注記、二次電子機器１６のパワー強化によるアクティブ化は必要ではない；二次電子機器１６は、持続的にアクティブの状態である）；および二次制御電子機器１６は、アクチュエータを介してロッキング機構１８をアンロックし、無線トランシーバ２８と３４とを介して一次電子機器３２にアンロックしたことを知らせる。
【００３４】
有利なことには、このシステムは、ドアロックユニット１１２の既に小型のサイズを縮小し、ウェイクアップ回路を取り除くことによって、ユニット１１２をさらに単純化する。加えて、アンロックの手順は、ドアロックユニット１１２のアクティブ化の手順を取り除くことによって合理化される。
【００３５】
本発明の他の代替の実施形態を図３に示す。その中にある電子ロックシステム２００は、システム１００のすべての要素を含み、ドアロックユニット２１２の二次制御電子機器１６に接続された検知装置２０１をさらに含む。検知装置２０１は、ロックシステム２００と関連したドアの外部ロックハンドル２０２内に配置され、またはそのハンドルに接続される。使用の際には、アクセスカード４２がまず、システム２００のリーダ４０に提示される（すなわち、磁気ストライプカードまたはスマートカードの場合には、挿入され、もしくは通され、または近接型カードの場合には、近接の場所に移動される）。図１に関して先に論じたように、リーダ４０はアクセスが認められるべきかどうかを判定するために、アクセスカード４２に保存されたデータを読み取り、評価する。外部ロックハンドル２０２は、その場合、続いて潜在的な入室者によって接触され、および／またはわずかに向きを変えられる。ハンドル２０２のこの接触／操作により、センサ２０１がアクティブになり、その結果、内部回路が、二次制御電子機器１６を覚醒させ、一次電子機器３２に（上述の無線トランシーバのパスを介して）、ロックがアンラッチされるべきであるかどうかに関してクエリを行わせることになる。一次制御電子機器３２が、提示されたアクセスカード４２から適切なアクセスデータを受け取っている場合には、一次制御機器３２は、本発明の先の実施形態に関して上述のように、ロックをアンラッチする（すなわち、開く）ように二次制御機器１６に指示することとなる。電力は、システム１０に関して先に論じたように、電力信号生成器３８により放出された断続的または持続的な電磁電力信号２６によって、システム２００のドアロックユニット２１２に供給される。すなわち、システム２００には、先に論じたシステム１００ほどの電力は必ずしも必要ではない。
【００３６】
電子ロックシステム２００については、したがって、図１に関して上述したウェイクアップ構成を含んでいないこととして説明している。システム２００のこの構成では、ドアロックユニット２１２は、検知装置によってのみアクティブ可能である。
【００３７】
しかし、ロックシステム２００は、特定の適用にこの種の構成が望まれる場合には、選択的に、ウェイクアップ構成を含むことが可能である。すなわち、ロック制御アセンブリ２１４は、電磁ウェイクアップ信号２２を選択的に送信するためにウェイクアップ信号生成器３６（図３に破線で示す）を含むことが可能である。ドアロックユニット２１２は、それに対応して、ウェイクアップ信号２２を受け取り、二次アクセス制御電子機器１６をアクティブにするために使用される電気エネルギーに、その信号を変換するウェイクアップ回路２０（やはり破線で示す）を含むことが可能である。この構成では、ドアロックユニット２１２は、システム１００に関して上述したように、電力信号生成器３８およびエネルギー貯蔵装置２４によって持続的には電力供給されない。その代わり、ドアロックユニット２１２は、ユニット２１２の動作が必要でないときには、インアクティブの状態のままである。このインアクティブの状態では、システム１０に関して先に論じたように、電磁電力信号２６は、ドアロックユニット２１２への連続的な電力供給のため、信号２６を電気エネルギーに変換し、そのエネルギーを貯蔵するエネルギー貯蔵装置２４に、電力信号生成器３６によって周期的に送信される。したがって、この構成では、ドアロックユニット２１２は、検知装置２０１によっても、またはウェイクアップ回路２０によってもアクティブ可能であり、アクティブになったときには、貯蔵装置２４に貯蔵される電気エネルギーによって電力供給される。
【００３８】
システム２００に関して説明したように、ドアロックユニットをアクティブにするための検知装置は、この特定の実施形態に限定されない。すなわち、本願で説明されたいずれの例示的実施形態も、およびさらには本発明の広い範囲内で意図されるさらなる実施形態も、その接触または操作によって、電子ロックシステムのすべてまたは一部をアクティブにする検知装置を含むことが可能である。この種の検知装置は、説明済みのウェイクアップ回路と併せて、または代替としてはその回路に使用可能である。
【００３９】
図４に、本発明に対する他の代替の実施形態の電子ロックシステム３００を示す。システム３００はシステム１０に類似しており、ただし、前者は後者の電力信号生成器を必要とせず、選択的に後者のウェイクアップ信号生成器およびウェイクアップ回路を必要としない。結果的には、システム３００は、システム１０とは全く異なる方法で電力供給され、動作する。
【００４０】
システム３００は、本発明の先の実施形態に関して上述したように、エネルギー貯蔵装置２４を含む。しかし、この場合には、エネルギー貯蔵装置２４は、例えばドアハンドルまたはドアヒンジなど、システム３００に関連したドアの機能３０２に、機械的に接続された発電機３０１から電気エネルギーを受け取る。発電機３０１は、ドア機能３０２が移動することによって作動し、装置２４上に所要の電荷を与えるためにエネルギー貯蔵装置２４に十分な電気エネルギーを供給することが可能である。したがって、ドアロックユニット３１２は、必要に応じてエネルギー貯蔵装置２４に貯蔵される使用可能な電力を有する。発電機３０１は、ドアロックユニット３１２について複数の動作を、すなわち、ドアについて複数の項目を可能にするために、ドア機能３０２の単一の作動から十分な電気エネルギーを生成する。
【００４１】
システム３００は、本発明の先に開示された実施形態と同様に動作するが、ウェイクアップ信号および電力信号の生成、送信、および受取りの処理は必要ではない。代わりに、システム３００は、エネルギー貯蔵装置２４と発電機３０１との相互作用により内部的に電力供給される。すなわち、エネルギー貯蔵装置２４は、発電機３０１の作用により充電され続ける。
【００４２】
システム３００の使用中には、発電機３０１はまた、インアクティブなロックユニット３１２を覚醒するために貯蔵装置２４を作動させる。すなわち、ドア機能３０２が操作されたときには、発電機３０１が作動し、エネルギー貯蔵装置２４にそれによって受け取られ、貯蔵される電力信号を送信する。さらに詳細については下記に論じるが、エネルギー貯蔵装置２４は、発電機の電力信号に応答して、制御電子機器１６を目覚めさせ、アクティブにするアクティブ信号を二次制御電子機器１６に送る個別論理構成要素を含む。
【００４３】
システム３００は、例えば以下のように使用可能である。潜在的な入室者がまず、その人の証明書を確認しようとする制御アセンブリ３１４に自分のアクセスカード４２を提示する。アクセスカード４２を提示した後、その入室者は、ドア機能３０２、例えばドアハンドルを操作し、電力信号をエネルギー貯蔵装置２４に送る発電機３０１をアクティブにする。電力信号は、貯蔵装置２４によって受け取られ、上述のように、貯蔵されるエネルギーへとその中で変換される。さらには、電力信号に応答して、エネルギー貯蔵装置２４は、ロックユニット３１２を覚醒させる。アクセスカード４２を確認すると、制御アセンブリ３１４は、「アンロック」信号３０を無線トランシーバ３４と２８とを介して覚醒したロックユニット３１２に送信し、次に、そのロックユニットは、ロッキング機構１８をアンロックし、トランシーバを介してこのアンロックしたことを制御ユニット３１４に知らせる。
【００４４】
上記のように、この実施形態では、システム３００には、例えばシステム１０に関して論じたウェイクアップ信号生成器、ウェイクアップ回路、電力信号生成器も必要ではない。しかし、システム３００は、必要に応じて、ウェイクアップ構成を選択的に用いることが可能である。すなわち、本発明の他の実施形態に関して先に論じたように、ロック制御アセンブリ３１４はウェイクアップ信号生成器３６（図４に破線で示す）を含むことが可能であり、ドアロックユニット３１２は、それに対応して、電磁ウェイクアップ信号２２を生成器３６から受け取るために、および二次制御電子機器１６をアクティブにするため使用される電気エネルギーに信号２２を変換するために配置されるウェイクアップ回路２０を含むことが可能である。
【００４５】
例えば、先に論じたばかりであるが、ロックユニット３１２を覚醒するために発電機３０１を使用することに加えて、または代替としては発電機３０１を使用することから、ウェイクアップ信号生成器３６およびウェイクアップ回路２０が用いられることができる。すなわち、潜在的な入室者は、自分のアクセスカード４２を制御アセンブリ３１４に提示することが可能であり、その制御アセンブリは確認をすると、生成器３６を介して電磁ウェイクアップ信号２２をロックユニット３１２に送る。ウェイクアップ回路２０は、信号２２を受け取り、二次アクセス制御電子機器１６を覚醒する。次に、制御アセンブリ３１４は、無線トランシーバ３４と２８とを経由して、「アンロック」信号３０を二次制御電子機器１６に送信する。信号３０に応答して、制御電子機器１６は、ロッキング機構１８をアンロックし、アンロックしたことを制御アセンブリ３１４に知らせる。覚醒されると、ロックユニット３１２は、エネルギー貯蔵装置２４から使用可能な電力を引き出す。上記のように、貯蔵装置２４は、発電機３０１の作用により充電される。すなわち、潜在的な入室者が自分のアクセスカード４２を制御アセンブリ３１４に提示したときには、その人はドア機能３０２を操作することになり、したがって、発電機３０１を作動させ、発電機３０１にその電力信号を、ロックユニット３１２の現在または今後の動作のために電力信号を貯蔵されるエネルギーに変換するエネルギー貯蔵装置２４へと送らせることになる。
【００４６】
加えて、電子ロックシステム３００のドアロックユニット３１２は、エネルギー貯蔵装置２４に、および／または二次アクセス制御電子機器１６に接続された電源３０３（やはり破線で示す）をさらに含むことが可能である。電源３０３は、バックアップ電源機構を備え、従来のもしくは再充電可能なバッテリまたはバッテリパックであってよい。バックアップ電源３０３が再充電可能なバッテリパック、または電気出力を貯蔵するための任意の適切な手段である場合には、発電機３０１はまた、発電機３０１の動作により後者を再充電するためにこの種の電源３０３に接続されることになる。（この関係を図４に破線で表す。）したがって、例えば、発電機３０１がアクティブ化する間にかなりの時間周期が経過し、それに対応して、エネルギー貯蔵装置上の電荷が浪費するような場合には、電荷は、電源３０３によって補充可能である。代替としては、電源３０３が二次制御電子機器１６に直接、接続される場合には、電力は電子機器１６にそのアクティブ化および動作のために直接、供給可能である。
【００４７】
システム３００に関して説明した発電機および電源の機能は、もちろん、本発明のこの実施形態に限定されない。これらの機能は、本願で説明される他の実施形態に、および本発明の広い範囲によって意図されるそれらの追加の実施形態に、単独でまたは組み合わせて適用可能である。
【００４８】
システム１０、１００および２００に関して本願で先に説明したエネルギー貯蔵装置２４は、電力信号生成器３８によって放出される電磁電力信号２６を検出すること、および受け取った電力信号２６の特性の検出変化に応答して、二次アクセス制御電子機器１６を覚醒することの選択的な能力をさらに含む。信号特性のこの変化は、電力信号２６の中止、電力信号２６の一時的な停止、および電力信号２６の調節の変化のうち少なくとも１つを含んでよい。
【００４９】
本発明のこの実施形態では、エネルギー貯蔵装置２４の個別論理構成要素が電力信号２６の特性の変化を検出し、それに応答して、ドアロックユニット１２を目覚めさせる。覚醒されると、ドアロックユニット１２は、本発明の先の実施形態に関して先に論じたように動作可能になる。
【００５０】
例えば、エネルギー貯蔵装置は、電力信号２６の中止を検出することが可能である。この種の検出が行われると、エネルギー貯蔵装置２４は、次に、無線トランシーバ２８を介して、メッセージをロック制御アセンブリ１４、１１４、２１４に、および／またはネットワーク４６に直接、および／または周辺装置（下記参照のこと）に送信する二次電子機器１６を覚醒する。メッセージは、例えば、電力信号２６が停止している、およびシステム１０、１００、２００にメンテナンスが必要であるという警告であることが可能である。
【００５１】
他の例では、電力信号２６の一時的な停止を使用して、意図的に二次電子機器１６を目覚めさせることが可能である。すなわち、本願で先に説明したウェイクアップ信号／ウェイクアップ回路のルーチンに加えて、または代替としてはそのルーチンから、電力信号２６は、生成器３８によって意図的に一時的に停止可能である。この停止は、エネルギー貯蔵装置２４によって検出され、そのエネルギー貯蔵装置は、それに応答して、ロック１２、１１２、２１２の二次電子機器１６を目覚めさせ、アクティブにする。その後、ロック１２は、上記の様々な実施形態で説明されたように機能することができる。
【００５２】
同様に、電力信号２６の調節は、エネルギー貯蔵装置２４にロック１２、１１２、２１２を覚醒するように信号で示すために多様であってよい。すなわち、この種の変化は、エネルギー貯蔵装置２４の個別論理構成要素によって検出可能であり、エネルギー貯蔵装置２４は、個別論理構成要素の検出に応答して、次に、必要に応じて動作可能になるロックを覚醒する。
【００５３】
図４の電子ロックシステム３００に話を戻すと、その中にあるエネルギー貯蔵装置２４の個別論理構成要素は、発電機３０１がアクティブになることによって、貯蔵装置２４に送られる連続的な電力信号間の長い時間周期を検出するために構成可能である。エネルギー貯蔵装置２４は、さらには、いつその貯蔵されるエネルギーが所定の最小値に達するかを検出するために構成可能である。この種の検出が行われた場合には、エネルギー貯蔵装置２４は、二次電子機器１６を覚醒することが可能であり、したがって、ドアロックユニット３１２をアクティブにし、その動作および／または通信を可能にする。この種の通信は、例えばシステム３００にメンテナンスが必要であるというメッセージの送信信号であることが可能であろう。さらには、この種の検出が行われると、装置２４は、加えてまたは代替としては、電源３０３から電力を引き出すことが可能である。
【００５４】
ロック装置１２、１１２、２１２、３１２の無線トランシーバ２８は、したがって、一例として、対応するロック制御アセンブリ１４、１１４、２１４、３１４により、および特には、一次アクセス制御電子機器３２の無線トランシーバ３４により、データなどを無線で伝達し、および／または交換するように構成されていると説明してきた。加えておよび／または代替としては、無線トランシーバ２８は、図１〜４に図示のように、ロック制御アセンブリの直接の構成要素ではない装置５０と通信するため配置可能である。この種の装置５０は、例えば、サーモスタット、セットトップボックス、照明制御モジュール、電話／制御コンソール、または補助通信装置を含むことが可能である。さらには、無線トランシーバ２８は、ロック制御アセンブリとインターフェースをとることなく、ネットワークと直接の方法で無線により相互作用するように構成可能である。
【００５５】
さらに他の例示的な実施形態では、ドアロックユニット１０、１００、２００、３００の二次アクセス制御電子機器１６は、例えばドアロックユニット、またはドアロックユニットが位置するドア内のその他の場所に配置された装置５２と通信するように構成可能である。装置５２は、例えば視覚的、聴覚的、または触覚的な信号装置、カメラ、さらなる通信装置などを含んでよい。二次アクセス制御電子機器１６は、任意の適切な有線または無線の構成によって、装置５２と相互作用することが可能である。無線構成が用いられる場合には、二次アクセス制御電子機器１６は、無線トランシーバ２８を介して装置５２と通信することが可能である。装置５２は、エネルギー貯蔵装置２４によって電力供給可能であり、またはそれ自体の電源を含むことが可能である。装置５２は、ウェイクアップ回路２０によって、またはそれ自体の同様のウェイクアップ回路構成によって、またはすぐ上で説明したエネルギー貯蔵装置２４によってアクティブ可能である。もちろん、本発明は、これらと、追加的に論じた例示的な実施形態との様々な組合せおよび変形を意図している。
【００５６】
電子ロックシステムのアクセスについて、本願では、一例として、磁気ストライプカード、スマートカードおよび近接型カードに関連する識別カードアクセスの技術を含むこととして説明してきた。しかし、本発明の電子ロックシステムは、この種のカードアクセス構成に限定されない。例えば、潜在的な入室者は、キー、キーパッド、タッチパッドもしくはタッチスクリーンを介して、あるいは指紋スキャン、網膜スキャンなどのバイオメトリクスの手段を介して、あるいは任意の他の既知のまたは考え得るアクセス手段、技術もしくは証明書を介して、電子ロックシステムにアクセスすることを試みることが可能である。
【００５７】
図５に、本発明のさらなる実施形態の電子ロックシステム４００を示す。システム４００は、ドア４０４内に配置されたドアロックユニット４０２からなり、さらには、電子ロックシステム１０、１００、２００、および３００に関して先に論じた電力信号生成器３８からなる。
【００５８】
電力信号生成器３８は、ドアロックユニット４０２の外部およびドア４０４の外部に配置される。電力信号生成器３８は電源４４によって電力供給され、その電源は、先に論じたように、スイッチモード電源機構、変圧器、従来のもしくは再充電可能なバッテリパック、またはそれらの任意の組合せであってよい。
【００５９】
ドアロックユニット４０２は、マイクロプロセッサ（図示せず）と、ロッキング機構１８に接続され、ロッキング機構１８をロックまたはアンロックの位置に選択的に作動させることができるアクチュエータ（図示せず）とを備えたアクセス制御電子機器４０６を含む。ドアロックユニット４０２は、アクセス制御電子機器４０６に接続されたアクセスリーダ／ライタ４０をさらに含む。アクセスリーダ／ライタ４０は、アクセスカード４２（例えば磁気ストライプカード、スマートカード、近接型カードなどからのデータ）からアクセス証明書を読み取るために、この種のデータをアクセス制御電子機器４０６に送るために、および潜在的な入室者（さらに後ほど論じることになるが）によるアクセスの試みについてドアロックユニット４０２に注意を喚起するために、構成されている。アクセス制御電子機器４０６は、アクセスリーダ／ライタ４０によって読み取られたアクセス証明書を処理するため、およびアクセスが許可されるべきであるかどうかを判定するために構成されている。この判定は、例えば読み取ったアクセス証明書と、アクセス制御電子機器４０６に局所的に保存される保存データとを比較することを含む。
【００６０】
システム４００のドアロックユニット４０２もまた、アクセス制御電子機器４０６に、およびアクセスリーダ／ライタ４０に接続されたエネルギー貯蔵装置２４（例えばスーパーキャパシタ）を含む。先に長く論じたように、エネルギー貯蔵装置２４は、電磁信号２６を電力信号生成器３８から受け取るように構成されており、さらには、それらの信号２６を容量的に貯蔵される電気エネルギーに変換するように構成されている。貯蔵装置２４内に貯蔵されるこの電気エネルギーは、使用可能な電力としてアクセス制御電子機器４０６に選択的に供給される。貯蔵装置２４は、アクセスリーダ／ライタ４０から信号を受け取る個別論理構成要素をさらに含み、アクセスの試みがあると、その構成要素は、この種の信号に応答して、アクセス制御電子機器４０６を覚醒する。
【００６１】
電力信号生成器３８は、エネルギー貯蔵装置２４が充電され続け、必要に応じて、使用できる電力をアクセス制御電子機器４０６に供給することが可能であり続けるように、電力信号２６を装置２４に持続的にまたは断続的に送信する。アクセス制御電子機器４０６は、エネルギー貯蔵装置２４によって覚醒されるまでは、インアクティブ、低電力の状態（ロック１２、１１２、２１２、および３１２に関して先に論じたように）のままである。
【００６２】
システム４００の典型的な動作の一例は、アクセスカード４２をリーダ４０に通し、挿入し、または近くに持っていくことによる潜在的な入室者のアクセスリーダ／ライタ４０へのカード４２の提示により始まる。アクセスリーダ／ライタ４０は、アクセスの試みを検知し、適切な信号をエネルギー貯蔵装置２４に送り、この装置は、それに応答して、アクセス制御電子機器４０６を覚醒する。実質的に同時に、アクセスリーダ／ライタ４０は、アクセスカード４２によって提示されると、潜在的な入室者のアクセス証明書を読み取り、対応するデータを覚醒されたアクセス制御電子機器４０６に送る。制御電子機器４０６は、読み取ったデータをアクセス制御電子機器４０６に局所的に保存されたデータと比較することによって、そのデータがドア４０４へのアクセスを許可するために適切であるかどうかを判定する。その判定が肯定的である場合には、アクセス制御電子機器４０６は、ロッキング機構１８をアンロックし、入室者へのアクセスを許可する。
【００６３】
他の実施形態では、ドアロックユニット４０２は、アクティブのおよび準備が常にできている状態で維持されている。すなわち、この代替の実施形態では、アクセス制御電子機器４０６は、ウェイクアップのアクティブ化は必要ではない。その代わり、エネルギー貯蔵装置２４が、使用可能な電力をアクセス制御電子機器４０６に持続的に供給する。それに対応して、電力信号生成器３８は、エネルギー貯蔵装置２４上に必要な電荷を維持し、したがって、ドアロックユニット４０２に持続的な使用可能な電力を供給するために、信号２６を持続的にまたは断続的に供給する。この実施形態では、潜在的な入室者によるアクセスの試みがアクセスリーダ／ライタ４０によって読み取られ、アクセスの証明書は、証明書を確認するために、およびドア４０４へのアクセスを許可するためにも、または拒否するためにも、アクティブなアクセス制御電子機器４０６に直接送られる。すなわち、この実施形態では、アクセス制御電子機器４０６を覚醒させる必要はない。
【００６４】
電子ロックシステム４００は先に論じた実施形態からの機能および要素を含んでよい。例えば、ドアロックユニット４０２は電子ロックシステム２００の検知装置２０１およびハンドル２０２を含んでよい。加えておよび／または代替としては、ドアロックユニット４０２は、システム３００の発電機３０１およびドア機能３０２を含んでよい。
【００６５】
さらには、電子ロックシステム４００は、先の実施形態に関して上述したように、および図５に破線で示したように、場合によっては、無線トランシーバ２８を含んでよい。アクセス制御電子機器４０６は、ロックシステム４００が配置されているドア４０４の外部に配置された装置５０と、無線トランシーバ２８を介して、無線で通信することが可能である。本願で先に論じたように、装置５０は、ドアの外部の任意の装置または複数の装置であってよく、例えばサーモスタット、セットトップボックス、照明制御モジュール、電話／制御コンソール、補助通信装置などのうち少なくとも１つを含んでよい。加えておよび／または代替としては、アクセス制御電子機器４０６は、図５に図示したネットワーク５１と、無線トランシーバ２８を介して、無線で通信することが可能である。ネットワーク５１は、ドア４０４およびロックシステム４００が設置されている複合ユニット型住宅と関連した任意のタイプのネットワークであってよい。例えば、ネットワーク５１は、複合ユニット型建物の中央電子ロック制御システム（ＣＥＬＳ）の基幹、インターネットなどを備えてよい。無線トランシーバがそれによりこの種の通信を支持し、容易にする方法および態様については、本願で先に論じており、したがって、今、繰り返して述べることはしない。
【００６６】
本発明を好ましい実施形態に関して説明してきたが、本発明の範囲から逸脱することなく、様々な修正がなされ、均等物がそれらの要素の代用可能となることは当業者には理解されるであろう。加えて、多数の変形が、本発明の教示に、その本質的な範囲から逸脱することなく、特定の状況または資料を適応させるようになされることが可能である。したがって、本発明は、本発明を実施するために意図された最良の態様として開示された特定の実施形態に限定されるのではなく、本発明は、添付の請求項の範囲内に収まるすべての実施形態を含むであろうことが意図されている。さらには、第１の、第２のなどの用語の使用については、いずれの順序または重要度を示しているのではなく、第１の、第２のなどの用語は、ある要素を他の要素と区別するために使用されている。
【図面の簡単な説明】
【００６７】
【図１】本発明の１つの例示的実施形態におけるロックシステムの概略図である。
【図２】本発明の他の実施形態におけるロックシステムの概略図である。
【図３】本発明の他の実施形態におけるロックシステムの概略図である。
【図４】本発明の他の実施形態におけるロックシステムの概略図である。
【図５】本発明の他の実施形態におけるロックシステムの概略図である。
【図１】
2008533340.tif 000003
【図２】
2008533340.tif 000004
【図３】
2008533340.tif 000005
【図４】
2008533340.tif 000006
【図５】
2008533340.tif 000007
【国際調査報告】
2008533340.tif 000008
2008533340.tif 000009
2008533340.tif 000010